(57)【特許請求の範囲】
【請求項１】
後面と下面に開口部を有し前面に開口孔を有するケースと、このケースの開口孔に回動及び押圧可能に挿入された可動軸と、後端が傾斜面となった受光部で前端が照光面となった円柱状または楕円柱状の第一の導光体を中央部に収納し、上記受光部の下方となる位置に開口部を有すると共に上記可動軸の前端の突出部が結合した操作つまみと、上記第一の導光体の受光部下方に配置された第一の発光素子と、上記操作つまみの回動または押圧によって上記可動軸を介して複数の固定接点の電気的接離を行うロータリスイッチユニットまたはプッシュスイッチユニットからなり、上記第一の導光体後端の傾斜面を上記操作つまみの所定範囲の回動角度に対応して上記第一の発光素子からの光を軸線方向に反射して上記照光面へ導くように上方に湾曲させると共に、上記操作つまみの押圧操作の移動量を上記第一の発光素子の光を直角に反射して上記照光面を照光させるように上記受光部の傾斜面の範囲とした照光つまみ付スイッチ。
【請求項２】
ケース後面に配置され前面に複数の固定接点を植設した第一の端子板と、ケース内に回動可能に収納され前端の回動軸が可動軸後端に結合されたロータと、このロータの後面に装着され上記第一の端子板の固定接点と接離する第一の接触片からなるロータリスイッチユニットと、ケース下面に配置され上面に複数の固定接点を植設した第二の端子板と、ケース内に摺動可能に収納され上面の突起部が可動軸の下面に係合した摺動体と、この摺動体の下面に装着され上記第二の端子板の固定接点と接離する第二の接触片からなるプッシュスイッチユニットを装着すると共に、第一の発光素子を上記プッシュスイッチユニットの第二の端子板に装着した請求項１記載の照光つまみ付スイッチ。
【請求項３】
第一の発光素子の近傍に第二の発光素子を設けると共に、この第二の発光素子の光を第一の導光体の受光部に導く第二の導光体を設けた請求項１または２記載の照光つまみ付スイッチ。
【請求項４】
操作つまみの導光体収納部と第一の導光体外周のいずれか一方に突起部を、他方にこの突起部がはまり込む凹部を設けた請求項１〜３のいずれか一つに記載の照光つまみ付スイッチ。
【発明の詳細な説明】
【０００１】
【発明の属する技術分野】
本発明は、各種電子機器に使用される照光つまみ付スイッチに関するものである。
【０００２】
【従来の技術】
従来の照光つまみ付スイッチについて、図８及び図９を用いて説明する。
【０００３】
図８は従来の照光つまみ付スイッチの断面図、図９は同分解斜視図であり、同図において、１は樹脂製の操作つまみ、２は操作つまみ１の後面に嵌合された透明な樹脂製の導光体であり、操作つまみ１の中央孔１Ａには導光体２の中央部に設けた照光用突起２Ａが挿入され、この照光用突起２Ａにはスイッチモードのキャラクタを描いたプレート３が取付けられている。
【０００４】
また、４は後面開放形の箱形のケース、５はケース４内に回動可能に収納されたロータ、６はケース４の後面に配置され前面に複数の固定接点７を植設した第一の端子板であり、ロータ５の回動軸５Ａがケース４前面の開口孔４Ａから突出し、先端が導光体２の回動軸２Ｂに結合保持されると共に、ロータ５の後面には接圧用ばね８と接触片９が取付けられ、接触片９は接圧用ばね８に付勢されて固定接点７に弾接している。
【０００５】
そして、１０は導光体２の後面に取付けられた小形電球や発光ダイオード等の発光素子、１１はコネクタ１２や電気部品（図示せず）を装着しケース４の下面に配置された第二の端子板、１３は発光素子１０と第二の端子板１１を接続する可撓性を有するリード線であり、リード線１３は操作つまみ１や導光体２の回動による伸縮分を考慮して、中間部が導光体２の回動軸２Ｂに数回巻付けられている。
【０００６】
上記構成において、操作つまみ１を回動操作すると、導光体２の回動軸２Ｂに回動軸５Ａが結合したロータ５が回動し、ロータ５の背面に取付けられた接触片９が接圧用ばね８に付勢されて固定接点７上を弾接回動することによって、複数の固定接点７間の電気的接離が行われる。
【０００７】
また、機器の回路（図示せず）から発光素子１０を点灯する電気信号がコネクタ１２を介して送信されると、この電気信号がリード線１３を通って発光素子１０を点灯させ、発光素子１０の発光によって導光体２全体が照光するため、照光用突起２Ａを通った光がプレート３のスイッチモードのキャラクタを照光させるように構成されたものであった。
【０００８】
【発明が解決しようとする課題】
しかしながら上記従来の構成の照光つまみ付スイッチにおいては、大きな導光体２の端部に装着した発光素子１０によって導光体２全体を照光させ、これによって照光用突起２Ａをも照光させているため、照光用突起２Ａの明るさにムラができ易く、また、リード線１３の中間部を導光体２の回動軸２Ｂに数回巻付けているため、スイッチの組立て作業が困難で多くの作業時間を要するという課題があった。
【０００９】
本発明はこのような従来の課題を解決するものであり、ムラのない均一な照光が得られると共に、スイッチの組立て作業が容易で安価な照光つまみ付スイッチを提供することを目的とするものである。
【００１０】
【課題を解決するための手段】
上記課題を解決するために本発明の照光つまみ付スイッチは、後面と下面に開口部を有し前面に開口孔を有するケースと、このケースの開口孔に回動及び押圧可能に挿入された可動軸と、後端が傾斜面となった受光部で前端が照光面となった円柱状または楕円柱状の第一の導光体を中央部に収納し、上記受光部の下方となる位置に開口部を有すると共に上記可動軸の前端の突出部が結合した操作つまみと、上記第一の導光体の受光部下方に配置された第一の発光素子と、上記操作つまみの回動または押圧によって上記可動軸を介して複数の固定接点の電気的接離を行うロータリスイッチユニットまたはプッシュスイッチユニットからなり、上記第一の導光体後端の傾斜面を上記操作つまみの所定範囲の回動角度に対応して上記第一の発光素子からの光を軸線方向に反射して上記照光面へ導くように上方に湾曲させると共に、上記操作つまみの押圧操作の移動量を上記第一の発光素子の光を直角に反射して上記照光面を照光させるように上記受光部の傾斜面の範囲とした構成としたものである。
【００１１】
この本発明により均一な照光が得られると共に、スイッチの組立て作業が容易で安価な照光つまみ付スイッチを得ることができる。
【００１２】
【発明の実施の形態】
本発明の請求項１に記載の発明は、後面と下面に開口部を有し前面に開口孔を有するケースと、このケースの開口孔に回動及び押圧可能に挿入された可動軸と、後端が傾斜面となった受光部で前端が照光面となった円柱状または楕円柱状の第一の導光体を中央部に収納し、上記受光部の下方となる位置に開口部を有すると共に上記可動軸の前端の突出部が結合した操作つまみと、上記第一の導光体の受光部下方に配置された第一の発光素子と、上記操作つまみの回動または押圧によって上記可動軸を介して複数の固定接点の電気的接離を行うロータリスイッチユニットまたはプッシュスイッチユニットからなり、上記第一の導光体後端の傾斜面を上記操作つまみの所定範囲の回動角度に対応して上記第一の発光素子からの光を軸線方向に反射して上記照光面へ導くように上方に湾曲させると共に、上記操作つまみの押圧操作の移動量を上記第一の発光素子の光を直角に反射して上記照光面を照光させるように上記受光部の傾斜面の範囲とした構成の照光つまみ付スイッチとしたもので、操作つまみの押圧による前後動に対しては受光部の傾斜により、回動に対しては受光部の上方への湾曲によって、第一の発光素子からの光を軸線方向に反射して照光面へ導くことができるため、操作つまみの押圧時にも回動時にも均一な照光が得られると共に、リード線等によって第一の受光素子を接続する必要もないため、スイッチの組立て作業が容易で安価な照光つまみ付スイッチを得ることができるという作用を有する。
【００１４】
請求項２に記載の発明は、請求項１記載の発明において、ケース後面に配置され前面に複数の固定接点を植設した第一の端子板と、ケース内に回動可能に収納され前端の回動軸が可動軸後端に結合されたロータと、このロータの後面に装着され上記第一の端子板の固定接点と接離する第一の接触片からなるロータリスイッチユニットと、ケース下面に配置され上面に複数の固定接点を植設した第二の端子板と、ケース内に摺動可能に収納され上面の突起部が可動軸の下面に係合した摺動体と、この摺動体の下面に装着され上記第二の端子板の固定接点と接離する第二の接触片からなるプッシュスイッチユニットを装着すると共に、第一の発光素子を上記プッシュスイッチユニットの第二の端子板に装着した構成のもので、ロータリスイッチユニットをケース後面に配置し、第一の発光素子を装着した第二の端子板とプッシュスイッチユニットをケース下面に配置しているため、ロータリスイッチ及びプッシュスイッチをケースと一体でコンパクトに形成できるという作用を有する。
【００１５】
請求項３に記載の発明は、請求項１または２記載の発明において、第一の発光素子の近傍に第二の発光素子を設けると共に、この第二の発光素子の光を第一の導光体の受光部に導く第二の導光体を設けた構成としたもので、発光素子を二つ設けると共に、第二の発光素子の光も第二の導光体によって第一の導光体の受光部に導かれるため、第一の発光素子と第二の発光素子の発光色調を変えることにより、様々な操作つまみの照光色調を選択できるという作用を有する。
【００１６】
請求項４に記載の発明は、請求項１〜３のいずれか一つに記載の発明において、操作つまみの導光体収納部と第一の導光体外周のいずれか一方に突起部を、他方にこの突起部がはまり込む凹部を設けた構成のもので、突起部を凹部に挿入できる向き以外では操作つまみに第一の導光体を挿入できないため、第一の導光体の操作つまみ収納部への誤挿入を防止できるという作用を有する。
【００１７】
以下、本発明の実施の形態について図１〜図７を用いて説明する。
なお、従来の技術の項で説明した構成と同一構成の部分には同一符号を付し、その詳細な説明を省略する。
【００１８】
（実施の形態１）
図１は本発明の第１の実施の形態による照光つまみ付スイッチの断面図、図２は同分解斜視図であり、同図において、２１は操作部２１Ａと嵌合部２１Ｂを備えた樹脂製の操作つまみ、２２は操作つまみ２１の中央部に嵌合された透明な円柱状または楕円柱状の第一の導光体、３は第一の導光体２２前端の照光面２２Ａに取付けられたスイッチモードのキャラクタを描いたプレートであり、第一の導光体２２の後端には下方からの光を軸線方向に反射して照光面２２Ａへ導くように略４５°に傾斜すると共に、所定範囲の回動角度に対応して下方からの光を略直角に反射して照光面２２Ａへ導くように上方に湾曲した受光部２２Ｂが設けられ、操作つまみ２１にはこの受光部２２Ｂの下方となる位置に操作つまみ２１の回動範囲内のみ開口するようにした開口部２１Ｃが設けられている。
【００１９】
また、２３は後面と下面に開口部を有し前面に開口孔２３Ａを有するケース、２４はケース２３の開口孔２３Ａに回動及び押圧可能に挿入された可動軸であり、可動軸２４の突出部２４Ａはケース２３の開口孔２３Ａから突出して操作つまみ２１の嵌合部２１Ｂに結合されている。
【００２０】
そして、２５はケース２３内に回動可能に収納されたロータ、２６はケース２３後面に配置され前面に複数の固定接点７を植設した第一の端子板であり、ロータ２５の回動軸２５Ａが可動軸２４後面の嵌合孔２４Ｂに挿入されると共に、突出部２４Ａの後面とロータ２５の回動軸２５Ａの間には復帰用ばね２７がやや撓んだ状態で収納され、ロータ２５の後面に取付けられた第一の接触片９が接圧用ばね８に付勢されて固定接点７に弾接し、ロータリスイッチユニット２８が構成されている。
【００２１】
また、２９はケース２３の下面に配置され上面に複数の固定接点３０を植設した第二の端子板、３１はケース２３内に摺動可能に収納された摺動体、３２は摺動体３１の下面に装着され先端が固定接点３０に弾接した第二の接触片であり、摺動体３１上面の突起部３１Ａには可動軸２４下面に設けられた押圧部２４Ｃが当接し、摺動体３１の後面とケース２３の間には復帰用ばね３３がやや撓んだ状態で装着されてプッシュスイッチユニット３４が構成されている。
【００２２】
そして、３５は小形電球や発光ダイオード等の第一の発光素子であり、第一の導光体２２の受光部２２Ｂ下方の第二の端子板２９に装着されている。
【００２３】
上記構成において、操作つまみ２１の操作部２１Ａを回動操作すると、可動軸２４を介してロータ２５が可動し、ロータ２５の後面に取付けられた第一の接触片９が接圧用ばね８に付勢されて固定接点７上を弾接回動することによって、複数の固定接点７間の電気的接離が行われる。
【００２４】
また、操作つまみ２１の操作部２１Ａを押圧操作すると、図３に示すように、可動軸２４が復帰用ばね２７を撓ませながらケース２３内を摺動すると同時に、可動軸２４下面の押圧部２４Ｃが摺動体３１の突起部３１Ａを押圧し、摺動体３１が復帰用ばね３３を撓ませながらケース２３内を摺動して、摺動体３１の下面に装着された第二の接触片３２の先端が固定接点３０上を弾接摺動し、複数の固定接点３０間の電気的接離が行われ、押圧力を解除すると可動軸２４は復帰用ばね２７によって、摺動体３１は復帰用ばね３３の弾性復帰力によって各々図１の状態に復帰する。
【００２５】
そして、第二の端子板２９に装着された第一の発光素子３５を点灯させると、この光が操作つまみ２１の開口部２１Ｃを通って上方の第一の導光体２２の受光部２２Ｂに入射されるが、この受光部２２Ｂは下方からの光を軸線方向に反射して照光面２２Ａへ導くように略４５°に傾斜し上方に湾曲した面となっているため、光はこの受光部２２Ｂで略直角に反射して第一の導光体２２内を図中の左方向へ直進し、照光面２２Ａを通った光がプレート３のスイッチモードのキャラクタを照光させる。
【００２６】
また、図４（ｂ）に示すように、操作つまみ２１が回動して受光部２２Ｂが傾いた状態で第一の発光素子３５を点灯させた場合でも、第一の発光素子３５の光が入射される第一の導光体２２の受光部２２Ｂの傾斜面が、所定範囲の回動角度に対応して下方からの光を軸線方向に反射して照光面２２Ａへ導くように上方に湾曲した面となっているため、図４（ａ）の回動していない状態と同等の略４５°に近い角度で受光部２２Ｂの傾斜面に光が入射され、この光が受光部２２Ｂで略直角に反射して第一の導光体２２内を直進し、照光面２２Ａを照光させることができる。
【００２７】
さらに、図３に示す操作つまみ２１を押圧した状態で第一の発光素子３５を点灯させた場合でも、第一の導光体２２の受光部２２Ｂの傾斜面が下方からの光を直角に反射して照光面２２Ａへ導くように略４５°に傾斜した面となっているため、押圧操作の移動量がこの受光部２２Ｂの傾斜面の範囲であれば、図１の押圧していない状態と同様に受光部２２Ｂの略４５°の傾斜面に第一の発光素子３５の光が入射され、この光が受光部２２Ｂで直角に反射して第一の導光体２２内を直進し、照光面２２Ａを照光させることができる。
【００２８】
このように本実施の形態によれば、略４５°に傾斜し上方に湾曲した受光部２２Ｂが、第一の発光素子３５からの光を受光し略直角に反射して第一の導光体２２の照光面２２Ａを照光させるため、操作つまみ２１の回動時にも押圧時にも均一な照光が得られると共に、ロータリスイッチユニット２８をケース２３後面に配置し、第一の発光素子３５を装着した第二の端子板２９とプッシュスイッチユニット３４をケース２３下面に配置しているため、プッシュ機構付ロータリスイッチをケース２３に一体でコンパクトに形成することができ、スイッチの組立て作業が容易で安価な照光つまみ付スイッチを得ることができるものである。
【００２９】
なお、上記の説明では、可動軸２４をケース２３の開口孔２３Ａに回動及び押圧可能に挿入したプッシュ機構付ロータリスイッチとして説明したが、可動軸２４に代えてロータ２５の回動軸２５Ａを操作つまみ２１の嵌合部２１Ｂに直接結合する構成としたり、可動軸２４と摺動体３１を一体化した構成とすることによって、単独のロータリスイッチ或いはプッシュスイッチを構成することも可能である。
【００３０】
（実施の形態２）
図５は本発明の第２の実施の形態による照光つまみ付スイッチの要部分解斜視図、図６は同正面図であり、同図において、３６は第二の端子板２９（図示せず）に第一の発光素子３５と並んで装着された小形電球や発光ダイオード等の第二の発光素子、３７は操作つまみ２１（図示せず）の中央部に収納された第一の導光体２２の下方に配置された透明な第二の導光体であり、第二の導光体３７には４５°に傾斜した左側面の受光面３７Ａと右側面の受光面３７Ｂ、及び第一の導光体２２の外周に沿って湾曲した照光面３７Ｃが設けられている。
【００３１】
上記構成において、図６（ａ）に示すように第一の発光素子３５を点灯させると、この光は第二の導光体３７内を上方に直進して照光面３７Ｃを照光させ、これによって第一の導光体２２の受光部２２Ｂに入射された光が、受光部２２Ｂで略直角に反射して第一の導光体２２内を直進し照光面２２Ａを照光させることは実施の形態１と同様である。
【００３２】
これに対し、図６（ｂ）に示すように第二の発光素子３６を点灯させた場合には、第二の発光素子３６からの光は第二の導光体３７の下面から入射された後、４５°に傾斜した左側面の受光面３７Ａによって直角に反射して第二の導光体３７内を図中の右方向に直進し、次に同じく４５°に傾斜した右側面の受光面３７Ｂに直角に反射して照光面３７Ｃを照光させ、この光が第一の導光体２２の受光部２２Ｂに入射され、第一の発光素子３５を点灯した場合と同様に第一の導光体２２の照光面２２Ａを照光させる。
【００３３】
このように本実施の形態によれば、第一の発光素子３５に加えて第二の発光素子３６を設けると共に、この第二の発光素子３６の光を第一の導光体２２の受光部２２Ｂに導く第二の導光体３７が設けられているため、例えば第一の発光素子３５を赤色、第二の発光素子３６を緑色とし、スイッチが操作されていない場合は第二の発光素子３６を点灯して第一の導光体２２を緑色に照光し、スイッチを操作した場合には第一の発光素子３５を点灯して第一の導光体２２を赤色に照光するように構成する等、第一の発光素子３５と第二の発光素子３６の発光色調を変えることにより、様々な操作つまみ２１の照光色調を選択することができるものである。
【００３４】
（実施の形態３）
図７は本発明の第３の実施の形態による照光つまみ付スイッチの要部分解斜視図であり、同図において、第一の導光体２２の上面には突起部２２Ｃが、操作つまみ２１の導光体挿入孔２１Ｄにはこの突起部２２Ｃを挿入可能な凹部２１Ｅが各々設けられている。
【００３５】
このように、第一の導光体２２と操作つまみ２１の各々に、突起部２２Ｃとこれが挿入可能な凹部２１Ｅが設けられているため、第一の導光体２２の受光部２２Ｂを図７とは逆に下方に向けて操作つまみ２１に挿入する等の、操作つまみ２１への第一の導光体２２の誤挿入を防止することができるものである。
【００３６】
【発明の効果】
以上のように本発明によれば、操作つまみの押圧による前後動に対しては受光部の傾斜により、回動に対しては受光部の上方への湾曲によって、第一の発光素子からの光を軸線方向に反射して照光面へ導くことができるため、操作つまみの押圧時にも回動時にも均一な照光が得られると共に、スイッチの組立て作業が容易で安価な照光つまみ付スイッチを得ることができるという有利な効果が得られる。
【図面の簡単な説明】
【図１】本発明の第１の実施の形態による照光つまみ付スイッチの断面図
【図２】同分解斜視図
【図３】同プッシュ操作時の断面図
【図４】同要部正面図
【図５】本発明の第２の実施の形態による照光つまみ付スイッチの要部分解斜視図
【図６】同正面図
【図７】本発明の第３の実施の形態による照光つまみ付スイッチの要部分解斜視図
【図８】従来の照光つまみ付スイッチの断面図
【図９】同分解斜視図
【符号の説明】
３  プレート
７  固定接点
８  接圧用ばね
９  接触片
２１  操作つまみ
２１Ａ  操作部
２１Ｂ  嵌合部
２１Ｃ  開口部
２１Ｄ  導光体挿入孔
２１Ｅ  凹部
２２  第一の導光体
２２Ａ  照光面
２２Ｂ  受光部
２２Ｃ  突起部
２３  ケース
２３Ａ  開口孔
２４  可動軸
２４Ａ  突出部
２４Ｂ  嵌合孔
２４Ｃ  押圧部
２５  ロータ
２５Ａ  回動軸
２６  第一の端子板
２７  復帰用ばね
２８  ロータリスイッチユニット
２９  第二の端子板
３０  固定接点
３１  摺動体
３１Ａ  突起部
３２  第二の接触片
３３  復帰用ばね
３４  プッシュスイッチユニット
３５  第一の発光素子
３６  第二の発光素子
３７  第二の導光体
３７Ａ，３７Ｂ  受光面
３７Ｃ  照光面
【図１】
0003849221.tif 000002
【図２】
0003849221.tif 000003
【図３】
0003849221.tif 000004
【図４】
0003849221.tif 000005
【図５】
0003849221.tif 000006
【図６】
0003849221.tif 000007
【図７】
0003849221.tif 000008
【図８】
0003849221.tif 000009
【図９】
0003849221.tif 000010